(57)【要約】【課題】搬送手段により搬送される紙継ぎしたカット紙の紙詰まりを防止する。【解決手段】旧ロールと新ロールの巻き取り紙間で紙継ぎ装置による紙継ぎを行った信号を検出し、印刷機用シータの搬送手段によって搬送されるカット紙１１の搬送速度の変位箇所で、検知信号に基づき、紙継ぎした前記カット紙１１が搬送されるタイミングに合わせて、前記カット紙１１を前記搬送手段に、シリンダロッドの伸縮により、前記カット紙に転接する紙押えロールを、紙継ぎした前記カット紙面に接触または非接触可能とした紙押え手段１０によって押え付けるようにする。【選択図】図１
2007099404.tif 000002
【特許請求の範囲】
【請求項１】
巻き取り紙間で紙継ぎを行った信号を検出し、搬送手段によって搬送されるカット紙の搬送速度の変位箇所で、検知信号に基づいて、紙継ぎした前記カット紙が搬送されるタイミングに合わせて、前記カット紙を前記搬送手段に押え付けることを特徴とする印刷機用シータの紙詰まり防止方法。
【請求項２】
巻き取り紙間で紙継ぎを行った信号の検出手段と、
搬送手段によって搬送されるカット紙の搬送速度の変位箇所で、前記検出手段の検知信号に基づいて、紙継ぎした前記カット紙を前記搬送手段に押え付ける紙押え手段と、
を備えたことを特徴とする印刷機用シータの紙詰まり防止装置。
【請求項３】
前記紙押え手段は、シリンダロッドの伸縮により、前記カット紙に転接する紙押えロールを、紙継ぎした前記カット紙面に接触または非接触可能としたことを特徴とする請求項２に記載の印刷機用シータの紙詰まり防止装置。
【請求項４】
前記紙押え手段は、
フレームに軸支される揺動アームに取り付けて、下方の前記搬送手段に対向し、前記カット紙に転接する紙押えロールと、
前記揺動アームを押圧し、前記紙押えロールを前記カット紙面に接触させるバネ機構と、
前記揺動アームの軸を中心に回転させて前記紙押えロールを前記カット紙から離間させるシリンダ機構と、
を備えたことを特徴とする請求項２に記載の印刷機用シータの紙詰まり防止装置。
【発明の詳細な説明】
【技術分野】
【０００１】
本発明は、特に印刷機用シータの搬送手段を移動する紙継ぎしたカット紙の紙詰まり防止方法及び装置に関する。
【背景技術】
【０００２】
印刷機のシータには、印刷機から供給される印刷ウェブを所定の長さに裁断して枚葉状態のカット紙（シート）をスタック部まで搬送する搬送部が備えられている。図６に示すように前記搬送部１００として、下部高速搬送手段１２０と下部低速搬送手段１４０、及び上部高速搬送手段１６０を備えるシータがある。このようなシータでは、上部・下部高速搬送手段の間に挟まれたカット紙が搬送されて下部低速搬送手段１４０に引き渡され、スタック部１０８へ供給されるように構成されている。スタック部１０８の前段に下部低速搬送手段１４０を配設することで、高速で搬送されてくるカット紙を減速させ、カット紙がスタック部１０８の対壁にぶつかって折れ曲がることを防止することができる。
【０００３】
このような構成の搬送部１００を有するシータでは、上部高速搬送手段１６０から下部低速搬送手段１４０へカット紙を引き渡す際、スナッバ２００と呼ばれる回転アームを用いて上部高速搬送手段１６０によって搬送されてくるカット紙のカット紙端（後端）を叩いて、下部低速搬送手段１４０の搬送面へ押し付けることでカット紙に制動をかけつつ、スクェアリングロール２２０と呼ばれるローラにカット紙をぶつけてカット紙の減速を図り、カット紙を下部低速搬送手段１４０へ引き渡すという手法が採られていた。
【０００４】
しかし、上記のような手法によれば、カット紙を下部低速搬送手段１４０へ押し付けた際に、前記カット紙に押し付け痕が残るという問題があった。これに対し、カット紙に押し付け痕が残らないようにするために、押し付け圧力を弱めた場合には、カット紙の制動が十分でなくなり、スクェアリングロール２２０へぶつかった際に折れや曲がりが生ずるという問題があった。
【０００５】
上記実状を鑑み、本願出願人は、前記スナッバに対してブラシを装着し、このブラシによってカット紙を押圧すること、及びブラシ面をカット紙の搬送方向に対して長く設定することにより弱い押圧であっても十分な制動をかけることができるようにすることを提案し、これを特許文献１、特許文献２に開示している。
【０００６】
このような構成のシータによれば、スナッバによるカット紙の押圧力を高めた場合であっても、カット紙に押し付け痕が残ることがなくなる。また、ブラシの押圧面積を広くした場合には弱い押圧力であってもカット紙に対して十分な制動をかけることが可能となる。このため、カット紙がスクェアリングロールへぶつかった際に折れや曲がりが生ずることがない。
【特許文献１】特開平１０−１０９８０５号公報
【特許文献２】特開２０００−１６６６５号公報
【発明の開示】
【発明が解決しようとする課題】
【０００７】
上記特許文献１、２に開示したシータの場合、近年の印刷速度の向上と共に、印刷され、裁断されたカット紙の搬送速度の向上により、カット紙の搬送速度を高めると、上記特許文献１、２に開示した技術をもってカット紙に十分な制動力を与えるためにはブラシ面を相当に長くする等の対策を採る必要が生じる。一方、ブラシ面をカット紙の搬送方向に対して長くした場合には、厚いカット紙を押圧する際、押圧位置が前方にズレてしまうといった問題が生ずる。そこで搬送部の上方にカット紙の送風手段と搬送部の下方に吸引手段を備え、カット紙の押し付け痕を抑制した高速搬送のシータがある。
【０００８】
ところで稼動中の印刷機において、給紙中の巻き取り紙が少なくなると、紙継ぎ装置により給紙中の巻き取り紙（以下旧ロールという）と新しい巻き取り紙（以下新ロールという）を接着させた紙継ぎ（ペースター）を行いロールの交換を行っている。紙継ぎ作業は新ロールの先端部を両面テープで給紙中の旧ロールに接着させている。そして紙継ぎしたロールを裁断すると、図７に示すように旧ロールの後端部と新ロールの先端部間の重なり部分が発生する。重なり部分は、新ロールの先端部が旧ロールと両面テープで接着したカット紙１１０ａのほか、両面テープで接着されていない新ロール及び旧ロールの２枚重ねのカット紙１１０ｂ、１１０ｃ、１１０ｄが１カット以上生じることもある。
【０００９】
このような重なり部分を有するカット紙１１０が送風手段と吸引手段を備えた搬送部に送られてくると、図８に示すように高速搬送されたカット紙１１０の下紙ａは下部低速搬送手段１４０に設置してある吸引手段２４０によって吸引されて減速されるものの、下紙ａと接着されていない上紙ｂは、下部低速搬送手段の上方から下部低速搬送手段に向けて矢印ｅに示すような気体を噴出する下降流発生手段２６０によって下紙ａよりも先送りされて下紙ａとズレが生じる。そしてスナッバ２２０ａに装着したブラシ２２２によって、下紙ａは吸引手段に押圧されて、吸引手段に吸引されて制動がかかるものの、先送りされた上紙ｂの後端部（搬送方向に対して上流側、以下同じ）が捲れ上がる。そうすると切断されたカット紙が高速搬送手段によって次々と下部低速搬送手段に搬送されて、捲くれ上がった上紙ｂと下部低速搬送手段上を移動する下紙ａとの間に挟まり、紙詰まり（ジャミング）が発生する。この紙詰まりは切断処理を終えたカット紙が高速移動して下部低速搬送手段に移行する箇所で発生するため、瞬時に紙詰まりが連続的に起こってしまう。このように一旦紙詰まりが発生すると、印刷機用シータを停止させなければならず、搬送手段からカット紙を取り除くのに作業員の手間がかかるとともに、再度通常の印刷機の稼動に移行するためには点検・整備の時間がかかるという問題が生じていた。
上記従来の問題点を改善するため本発明は、印刷機用シータで搬送される紙継ぎしたカット紙の紙詰まりを防止することを目的としている。
【課題を解決するための手段】
【００１０】
本発明の印刷機用シータの紙詰まり防止方法は、巻き取り紙間で紙継ぎを行った信号を検出し、搬送手段によって搬送されるカット紙の搬送速度の変位箇所で、検知信号に基づいて、紙継ぎした前記カット紙が搬送されるタイミングに合わせて、前記カット紙を前記搬送手段に押え付けることを特徴としている。
【００１１】
本発明の印刷機用シータの紙詰まり防止装置は、巻き取り紙間で紙継ぎを行った信号の検出手段と、搬送手段によって搬送されるカット紙の搬送速度の変位箇所で、前記検出手段の検知信号に基づいて、紙継ぎした前記カット紙を前記搬送手段に押え付ける紙押え手段と、を備えたことを特徴としている。
この場合において、前記紙押え手段は、シリンダロッドの伸縮により、前記カット紙に転接する紙押えロールを、紙継ぎした前記カット紙面に接触または非接触可能としたことを特徴としている。
【００１２】
また前記紙押え手段は、フレームに軸支される揺動アームに取り付けて、下方の前記搬送手段に対向し、前記カット紙に転接する紙押えロールと、前記揺動アームを押圧し、前記紙押えロールを前記カット紙面に接触させるバネ機構と、前記揺動アームの軸を中心に回転させて前記紙押えロールを前記カット紙から離間させるシリンダ機構と、を備えたことを特徴としている。
【発明の効果】
【００１３】
このようになっている本発明は、紙継ぎを行った検出信号に基づいて、紙継ぎした重なり部分、すなわち接着されていない２枚重ねのカット紙が搬送されるタイミングに合わせて、重なり部分のカット紙の上紙を、紙押え手段によって搬送手段上に押え付けて送風手段による上紙の先送りを防いで下紙とのズレを抑えることができる。これにより先送りされた上紙がスナッバによって大きく捲れ上がることがなく上紙と下紙間で発生する紙詰まりを効果的に防止することができる。また紙詰まりによる印刷機の停止や、その後の調整によってロスしていた印刷機の稼動時間の長期化を図ることができる。
【発明を実施するための最良の形態】
【００１４】
本発明の印刷機用シータの紙詰まり防止方法及び装置の実施形態を添付の図面に従って以下詳細に説明する。
図３は紙詰まり防止装置の概略ブロック図を示す。図示のように印刷ウェブの給紙部に備えた紙継ぎ装置５０から印刷ウェブが印刷機６０に搬送され、印刷機６０で印刷された印刷ウェブがシータ７０に搬送される。シータ７０で裁断されたカット紙は図示しないスタック部に積層される。紙詰まり防止装置８０はシータ７０の搬送部に取り付けた紙押え手段１０と制御部４２とを主な構成要件としている。
【００１５】
図４は印刷機用シータの搬送部の部分拡大図を示す。図示のように実施形態に係る紙詰まり防止装置の取り付け対象となるシータの搬送部の下部低速搬送手段１２は、スナッバ９０と吸引手段９２と下降流発生手段９４とを備えた構成としている。
スナッバ９０は、上部高速搬送手段１３に張り付いて搬送されるシートを引き剥がし、下部低速搬送手段１２に引き渡しつつカット紙に制動をかける制動手段である。スナッバ９０にはブラシ繊維９０ｄが植えられている。ブラシ繊維９０ｄはスナッバ９０を回転駆動させる際に、ブラシ先端が下部低速搬送手段１２上を押圧する長さに設定してある。スナッバ９０は、カット紙の搬送速度に合わせて、各カット紙の後端部を叩いて下部低速搬送手段１２へ押圧する。このような動作によりカット紙を下部低速搬送手段１２に引き渡すと共に搬送するカット紙に制動をかけることができる。
【００１６】
吸引手段９２は下部低速搬送手段１２における搬送面を構成する無端搬送ベルト１２ａの下面に備えられ、前記スナッバ９０によってカット紙が押圧される位置に吸引口９２ａを設けている。スナッバ９０のカット紙押圧位置には一般に、エネルギー吸収プレート９３が設けられ、スナッバ９０による押圧力を受け止めるように構成している。このような構成の吸引手段９２は吸引口９２ａから気体を吸引し、前記スナッバ９０によって下部低速搬送手段１２に押圧されたカット紙の後端部を吸引し、カット紙に制動をかける。
下降流発生手段９４は、前記スナッバ９０の下流に設けられ、上部高速搬送手段１３から下部低速搬送手段１２へ向かって空気等の気体を吹き付け、前記下部低速搬送手段１２に搬送されるカット紙のばたつきを抑えるものである。
【００１７】
図１は実施形態に係る紙押え手段の側面図である。図２は実施形態に係る紙押え手段の平面図である。図１に示すように紙詰まり防止装置の主な構成要素である紙押え手段１０は、カット部で裁断されたカット紙１１が搬送手段の搬送速度の変位箇所となる高速状態から低速状態に移行した下部低速搬送手段１２上に設けてある。具体的には図４に示すように、下降流発生手段９４の下流側に設けてある。また図２に示すように下部低速搬送手段１２の上面であって下部低速搬送手段と直交方向の両端側に一対のシャフト受け１４を形成し、このシャフト受け１４には下部低速搬送手段１２の搬送方向と直交して渡しかけるようにシャフト１６を設置している。このシャフト１６には任意に設定した間隔を開けて複数の紙押え手段１０を配置してある。
【００１８】
紙押え手段１０はカット紙に転接する紙押えロール１８と、この紙押えロール１８をカット紙面に接触させるバネ機構２８と、紙押えロール１８をカット紙から離間させるシリンダ機構とを主な構成要件としている。
紙押えロール１８は、図１に示すようにシャフト１６に回動可能に取り付けられた揺動アーム２０の先端に取り付けられている。揺動アーム２０は２枚の平板を対面させて形成し、先端部に固定シャフト２２を取り付け、固定シャフト２２を軸心として紙押えロール１８を正逆回転自在に取り付けている。また２枚の平板の外側に位置してバネ機構２８とシリンダ機構を支持するスタンド２４がシャフト１６に固定されている。
【００１９】
スタンド２４の上部にはプレート２６が取り付けられ、このプレート２６と揺動アーム２０との間には紙押えロール１８をカット紙に接触させるバネ機構２８を配置している。バネ機構２８は、プレート２６に螺着されるノブ３０と、このノブ３０にバネ３２を介して嵌合するロッド３４とを備え、ロッド３４を揺動アーム２０に枢着して構成されている。ノブ３０の内部にバネ収納孔を下端面側から設置しバネ３２を挿入し、ロッド３４を収容孔の開口から差し込むようにしている。ロッド３４の差込部分には座金が形成されてバネ３２を受けるようにし、バネ３２の押圧力によってロッド３４が紙押えロール１８を下部低速搬送手段１２の点接方向に押圧するようにしている。またノブ３０はプレート２６に螺着しており、締め付け具合によって押圧力を任意に調整可能に形成している。
【００２０】
先端部に固定シャフト２２を取り付けた揺動アーム２０のもう一方の他端部には、ステーシャフト３６が平板間に形成してある。またプレート２６のバネ機構２８の取り付け側と反対側の端部には、シリンダ機構となるエアシリンダ３８を取り付けてある。
【００２１】
エアシリンダ３８は、前記ステーシャフト３６に向かってシリンダロッド４０が伸縮するように配置してある。エアシリンダ３８はシリンダロッド４０が伸長するとステーシャフト３６を押し下げる。揺動アーム２０の一方の端部に形成したステーシャフト３６が押し下げられると、図１（１）に示すようにシャフト１６を中心として回転し、揺動アーム２０の他端部に形成した紙押えロール１８が下部低速搬送手段１２から離間する方向に起き上がる。
【００２２】
一方、シリンダロッド４０が縮小すると図１（２）に示すように、ヘッド先端部に当接したステーシャフト３６はバネ機構２８によって下部低速搬送手段１２から離間する方向に移動する。ヘッド先端部はステーシャフト３６から離れて、揺動アーム２０と所定の隙間を有する位置で停止する。
【００２３】
なお前記隙間は、バネ機構２８のノブ３０の螺着によって紙押えロール１８の押圧力を調整する場合に、シリンダロッド４０とステーシャフト３６が当たらないように調整可能な範囲となる。またシリンダ手段は、直線方向に伸縮可能な例えばリニアアクチュエータを用いることができる。
【００２４】
このように紙押え手段は、紙押えロール１８と、バネ機構２８と、シリンダ機構を備えた構成で説明したが、このほかにも紙押えロールにシリンダロッドを接続させて、ロッドの伸縮により、カット紙に転接する紙押えロールを、紙継ぎしたカット紙面に接触または非接触可能とした構成とすることもできる。
【００２５】
一方、シリンダ機構には、シリンダロッド４０の伸縮を制御する制御部４２が接続している。制御部４２には図３に示すように紙継ぎ装置５０で紙継ぎを行った信号を検出するセンサ５２から検知信号が入力される。制御部４２では入力された検知信号に基づいて、エアシリンダ３８の伸縮制御信号を、接続する複数のエアシリンダ３８に送るように構成している。
【００２６】
上記構成による紙詰まり防止装置８０は以下に示すように作用する。
紙継ぎ部のない通常のカット紙１１が下部低速搬送手段１２上を移動する場合について説明する。図４に示すように高速搬送されてきたカット紙１１に対しスナッバ９０のブラシ９０ｄがカット紙１１の後端部を押し付ける前は、下降流発生手段９４によってカット紙１１の前段を搬送方向へ向かって送りだしつつ下部低速搬送手段１２に抑えつける。そしてスナッバ９０のブラシ９０ｄによってカット紙１１が上部高速搬送手段１３から１枚１枚紙尻を叩かれて、カット紙の後端部を吸引口９２ａに押圧すると、吸引手段９２による制動がかかる。
【００２７】
紙押えロール１８は下部低速搬送手段１２上を移動するカット紙１１に転接せず、図１（１）に示すようにエアシリンダ３８のシリンダロッド４０の伸長によってステーシャフト３６を押し下げ、揺動アーム２０の他端部に設置した紙押えローラ１８が搬送するカット紙１１から離間した位置、すなわち非接触の状態を保持している。
【００２８】
次に紙継ぎした重なり部分を有するカット紙、すなわち接着されていない２枚重ねのカット紙が下部低速搬送手段１２上を搬送する場合について説明する。図５は下部低速搬送手段上を搬送する重なり部分を有するカット紙の説明図である。
【００２９】
給紙部の旧ロールが残り少なくなり、旧ロールと新ロール間で紙継ぎを行うと、紙継ぎを行った信号がセンサ５２によって検出される。センサ５２の検知信号が制御部４２に入力され、制御部４２では、検知信号に基づいて、例えば紙継ぎしたカット紙を中心に前後する所定枚数のカット紙を押えるように設定した信号を各エアシリンダ３８に送るようにしている。各エアシリンダ３８では制御信号に基づいて、重なり部分を有するカット紙１１が下部低速搬送手段１２上に搬送されるタイミングに合わせて、シリンダロッド４０が縮小して紙押えロール１８が下部低速搬送手段１２側に接触し、バネ機構２８による所定の押圧力でカット紙１１を押える。
【００３０】
高速搬送されてきた重なり部分を有するカット紙１１に対し、スナッバ９０のブラシ９０ｄがカット紙１１の後端部を押し付ける前は、下降流発生手段９４によってカット紙１１の前段を搬送方向へ向かって送りだしつつ下部低速搬送手段１２に抑えつける。そして紙抑え手段１０の押えロール１８によって上紙ｂ及び下紙ａはいずれも先端部（搬送方向に対して下流側、以下同じ）が押え付けられ、上紙ｂのみ先送りされることがない。ついでスナッバ９０のブラシ９０ｄによってカット紙１１が上部高速搬送手段１３から１枚１枚紙尻を叩かれて、カット紙の後端部を吸引口９２ａに押圧する。下紙ａは吸引手段９２による制動がかかる。上紙ｂの後端部はブラシ９０ｄによって僅かに捲れあがるが、先端部を押えローラ１８によって押え付けられているため、大きく捲れあがることがない。このため、連続供給されるカット紙が重なり部分を有するカット紙の上紙ｂと下紙ａの間に挟まって紙詰まりを起こすことがない。
【００３１】
重なり部分を有するカット紙１１が下部低速搬送手段１２を通過した後、制御部４２からエアシリンダ３８に非接触信号が送られ、シリンダロッド４０が伸長するとともに紙押えロール１８が下部低速搬送手段１２から離間し、非接触状態となる。
【００３２】
このような紙詰まり防止装置によれば、搬送速度の変位箇所で、紙継ぎした２枚重ねのカット紙を押えることができ上紙の捲れあがりを防いで紙詰まりを防止することができる。よって紙詰まりによる除去作業および、除去後の点検・調整作業に要する作業時間をなくして、印刷機の稼働時間を大幅に長期化することができる。
【００３３】
なお下降流発生手段が故障などの原因によって作動せずカット紙を下部低速搬送手段に向かって気体を吹き付けることができない場合には、紙押えロールをカット紙に転接させてカット紙を下部低速搬送手段に押え付けるように構成することもできる。これにより下降流発生手段の故障等によって印刷機を停止させることなく印刷を継続して運転することができる。
【００３４】
制御部の制御信号は、紙継ぎを検出した信号に基づいて、例えば紙継ぎ装置から紙継ぎ部を有するカット紙が下部低速搬送手段を通過するまでの時間を予め設定しておき、この設定時間の間紙押え手段をカット紙に接触させるように構成することもできる。
また本実施形態では紙押えロール側にバネ機構を形成し、アームの他方にエアシリンダを設置した構成で説明したが、紙押えロール側にエアシリンダを形成し、アームの他方にバネ機構を設置する構成とすることもできる。
【図面の簡単な説明】
【００３５】
【図１】実施形態に係る紙押え手段の側面図である。
【図２】実施形態に係る紙押え手段の平面図である。
【図３】紙詰まり防止装置の概略ブロック図を示す。
【図４】印刷機用シータの搬送部の部分拡大図を示す。
【図５】下部低速搬送手段上を搬送する重なり部分を有するカット紙の説明図である。
【図６】従来の印刷機用シータの搬送部の説明図である。
【図７】重なり部分を有するカット紙の説明図である。
【図８】従来の下部低速搬送手段上を搬送する重なり部分を有するカット紙の説明図である。
【符号の説明】
【００３６】
１０………紙押え手段、１１………カット紙、１２………下部低速搬送手段、１３………上部高速搬送手段、１４………シャフト受け、１６………ヒンジシャフト、１８………紙押えロール、２０………揺動アーム、２２………固定シャフト、２４………スタンド、２６………プレート、２８………バネ機構、３０………ノブ、３２………バネ、３４………ロッド、３６………ステーシャフト、３８………エアシリンダ、４０………シリンダロッド、４２………制御部、５０………紙継ぎ装置、５２………センサ、６０………印刷機、７０………シータ、８０………紙押え防止装置、９０………スナッバ、９２………吸引手段、９４………下降流発生手段。
【図１】
2007099404.tif 000003
【図２】
2007099404.tif 000004
【図３】
2007099404.tif 000005
【図４】
2007099404.tif 000006
【図５】
2007099404.tif 000007
【図６】
2007099404.tif 000008
【図７】
2007099404.tif 000009
【図８】
2007099404.tif 000010